【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
オペレータ端末に、診断端末のユーザの適合性証明データを提供するための当該診断端末であって、
第１のデータ通信インターフェースと、
第１のディスプレイと、
第１の入力インターフェースと、
第１の処理ユニットと
を備え、
前記第１の処理ユニットが、前記診断端末の前記ユーザ及び前記診断端末によって実行された適合性検査に基づいて適合性評価応答データを生成することと、前記第１の処理ユニットによって生成された前記適合性評価応答データに基づいて適合性証明データを生成することと、前記第１のデータ通信インターフェースを介して前記オペレータ端末に前記適合性証明データ及び／又は前記適合性評価応答データを送信することとを行い、
前記適合性証明データは、Ｘ線画像に関する有効な意見を形成するための、前記診断端末又は当該診断端末の前記ユーザの能力を示す認証された評価を表すデータ構造である、
診断端末。
【請求項２】
前記第１の処理ユニットが、遠隔に位置する前記オペレータ端末によって前記診断端末に送信された適合性評価依頼要求データを受信し、
前記適合性評価応答データが、前記適合性評価依頼要求データの要件に基づいて生成され、
前記適合性証明データ及び／又は前記適合性評価応答データが、前記適合性評価依頼要求データに対する応答として、前記第１のデータ通信インターフェースを介して遠隔に位置する前記オペレータ端末に送信される、
請求項１に記載の診断端末。
【請求項３】
カメラ
をさらに備え、
前記第１の処理ユニットは、前記診断端末の前記第１のディスプレイ上にコントラスト検査シーケンスを表示することと、前記診断端末の前記カメラを使用して、前記診断端末の前記第１のディスプレイによって生成された前記コントラスト検査シーケンスを記録することであって、前記診断端末の前記カメラ及び前記第１のディスプレイが、同時にミラーのほうを向くように配置された、記録することと、記録された前記コントラスト検査シーケンスを標準コントラスト検査シーケンス結果のセットと比較することによって前記適合性評価応答データを生成することであって、前記適合性評価応答データが、前記第１のディスプレイの診断端末ディスプレイコントラストデータを含む、生成することとを行うことによって、前記適合性評価応答データを生成する、
請求項１又は２に記載の診断端末。
【請求項４】
前記第１の処理ユニットが、前記診断端末の前記第１のディスプレイ上に、認定されたグラフィカル検査画像又は認定されたビデオ検査シーケンスを表示することと、前記診断端末の前記第１の入力インターフェースを介して、ユーザ入力コマンドとして、認定されたグラフィカル検査又は認定されたビデオ選択を受信することと、前記認定されたグラフィカル検査又は前記認定されたビデオ選択を、グラフィカル検査のセット又はビデオ選択フィードバック結果のセットと比較することによって、前記適合性評価応答データを生成することとを行うことによって、前記適合性評価応答データを生成し、前記適合性評価応答データが、前記第１のディスプレイの前記認定されたグラフィカル検査又は前記認定されたビデオ選択を含む、
請求項１から３のいずれか一項に記載の診断端末。
【請求項５】
前記第１の処理ユニットが、前記第１のディスプレイのディスプレイ構成情報を与えることと、前記ディスプレイ構成情報を検証することと、検証されたディスプレイ構成データを認定することによって前記適合性評価応答データを生成することとを行うように前記診断端末に指令することによって、前記適合性評価応答データを生成し、前記適合性評価応答データが、認定された前記検証されたディスプレイ構成データを含む、
請求項１から４のいずれか一項に記載の診断端末。
【請求項６】
前記第１の処理ユニットが、前記診断端末の前記第１のディスプレイ上に、複数の医療検査画像及び／又はビデオを表示することによって、前記適合性評価応答データを生成し、前記複数の医療検査画像及び／又はビデオにおける表示された前記医療検査画像及び／又はビデオの各々について、前記第１の処理ユニットが、前記診断端末の前記第１のディスプレイ上にユーザへの依頼入力プロンプトを提示することと、前記第１の入力インターフェースを介して依頼回答のセットを取得することと、前記依頼回答のセットを分析することと、画像及び／又はビデオ診断能力レベルを生成することと、前記画像及び／又はビデオ診断能力レベルを認定することによって、前記適合性評価応答データを生成することとを行い、前記適合性評価応答データが、認定された前記画像診断能力レベル及び／又は認定された前記ビデオ診断能力レベルを含む、
請求項１から５のいずれか一項に記載の診断端末。
【請求項７】
前記適合性証明データが、前記第１の処理ユニットによって暗号化されたデータ部分を含むか、又は前記第１の処理ユニットによって暗号化されたデータ部分である、
請求項１から６のいずれか一項に記載の診断端末。
【請求項８】
前記適合性証明データは、前記適合性評価応答データが生成された時点を表す認証されたタイムスタンプを含む、
請求項１から７のいずれか一項に記載の診断端末。
【請求項９】
前記第１の処理ユニットが、さらに、前記第１のデータ通信インターフェースを介して前記オペレータ端末から、（ｉ）診断要求データと、（ｉｉ）診断前データとを受信することと、医療専門家に対して前記診断要求データと前記診断前データとを表示することと、前記医療専門家から診断データを受信することと、前記適合性証明データを前記診断データと組み合わせることによって、認定された診断データを生成することと、前記第１のデータ通信インターフェースを介して前記オペレータ端末に、前記認定された診断データを送信することとを行う、
請求項１から８のいずれか一項に記載の診断端末。
【請求項１０】
診断端末のユーザから適合性評価応答データ及び／又は適合性証明データを獲得するためのオペレータ端末であって、前記オペレータ端末が、
第２のデータ通信インターフェースと、
第２のディスプレイと、
第２の入力インターフェースと、
第２の処理ユニットと
を備え、
前記第２の処理ユニットが、前記第２のデータ通信インターフェースから、遠隔の前記診断端末において生成された適合性評価結果に基づく適合性証明データを受信することと、診断端末適合性結果を提供するために前記適合性証明データを分析することと、前記第２のディスプレイを使用して前記オペレータ端末のユーザに対して前記適合性証明及び／又は前記診断端末適合性結果を表示することとを行い、
前記適合性証明データは、Ｘ線画像に関する有効な意見を形成するための、前記診断端末又は当該診断端末の前記ユーザの能力を示す認証された評価を表すデータ構造である、
オペレータ端末。
【請求項１１】
請求項１から９のいずれか一項に記載の診断端末と、
請求項１０に記載のオペレータ端末と
を備え、
前記診断端末及び前記オペレータ端末が、前記適合性証明データ及び／又は前記適合性評価応答データを通信する、
分散型医療情報保証システム。
【請求項１２】
オペレータ端末に、診断端末のユーザの適合性証明データを提供するように前記診断端末を動作させるための方法であって、前記方法が、
ａ）前記診断端末の前記ユーザ及び前記診断端末によって実行された適合性検査に基づいて適合性評価応答データを生成するステップと、
ｂ）前記診断端末によって生成された前記適合性評価応答データに基づいて前記適合性証明データを生成するステップと、
ｃ）前記診断端末のデータ通信インターフェースを介してオペレータ端末に前記適合性証明データ及び／又は前記適合性評価応答データを送信するステップと
を有し、
前記適合性証明データは、Ｘ線画像に関する有効な意見を形成するための、前記診断端末又は当該診断端末の前記ユーザの能力を示す認証された評価を表すデータ構造である、
方法。
【請求項１３】
診断端末のユーザの適合性評価応答データ及び／又は適合性証明データを獲得するようにオペレータ端末を動作させる方法であって、前記方法が、
ｂ１）遠隔の前記診断端末において生成された適合性評価結果に基づく前記適合性証明データを受信するステップと、
ｂ２）診断端末適合性結果を提供するために適合性証明データを分析するステップと、
ｂ３）前記オペレータ端末のユーザに対して前記適合性証明データ及び／又は前記診断端末適合性結果を表示するステップと
を有し、
前記適合性証明データは、Ｘ線画像に関する有効な意見を形成するための、前記診断端末又は当該診断端末の前記ユーザの能力を示す認証された評価を表すデータ構造である、
方法。
【請求項１４】
請求項１から９のいずれか一項に記載の診断端末を制御、及び／又は請求項１０に記載のオペレータ端末を制御するためのコンピュータプログラムであって、前記コンピュータプログラムが、処理ユニットによって実行されたとき、それぞれ請求項１２又は１３に記載の方法を実施する、コンピュータプログラム。
【請求項１５】
請求項１４に記載のコンピュータプログラムを記憶した、コンピュータ可読媒体。